(57)【要約】【課題】不自然な影の発生を除去し、高品質で、低コストな撮影を可能とする。【解決手段】面状の発光手段２０と、発光手段２０から出射された照射光を反射する反射手段３０と、反射手段３０で反射された反射光により照射された被写体を撮像する撮像手段４０と、を有する撮影装置１であって、反射手段３０のうち、中央部からの反射光量は、周辺部の反射光量よりも少ない。【選択図】図１
2004325797.tif 000002
【特許請求の範囲】
【請求項１】
面状の発光手段と、
前記発光手段から出射された照射光を反射する反射手段と、
前記反射手段で反射された反射光により照射された被写体を撮像する撮像手段と、
を有する撮影装置であって、
前記反射手段のうち、中央部からの反射光量は、周辺部の反射光量よりも少ないことを特徴とする撮影装置。
【請求項２】
前記中央部と、前記撮像手段を結ぶ直線上に前記被写体を設置するようにしたことを特徴とする請求項１に記載の撮影装置。
【請求項３】
前記中央部の少なくとも一部は光透過部材であり、
前記撮像手段は、前記被写体に対して、前記反射手段の反対側に設置されており、前記透過部材を介して前記被写体を撮像することを特徴とする請求項２に記載の撮影装置。
【請求項４】
補助照射手段を有することを特徴とする請求項１の撮影装置。
【請求項５】
前記補助照射手段は、
前記被写体の上方に設けられおり、
少なくとも発光光源及び前記発光光源から光を反射する反射手段を有することを特徴とする請求項４に記載の撮影装置。
【請求項６】
前記発光手段は、
前記反射手段の上側に設けられており、
前記周辺部の上側部と下側部との反射光量の差は、前記周辺部と前記中央部との反射光量の差より小さいことを特徴とする請求項１に記載の撮影装置。
【請求項７】
前記発光手段は、
前記反射手段の上側に設けられており、
前記周辺部の右側部と左側部との反射光量の差は、前記周辺部と前記中央部との反射光量の差より小さいことを特徴とする請求項１に記載の撮影装置。
【請求項８】
撮影の基準面と、
前記基準面の面域外であって、前記基準面に対してオフセット設置され、前記基準面方向に向けた開口部を有する、発光源を内蔵した発光手段と、
前記開口部よりも基準面寄りの位置関係と前記基準面との間に、前記開口部と前記基準面とを渡すように設けられた第１の反射面と、
前記第１の反射面とは前記基準面を介した前記基準面上反対側と、前記基準面に対しオフセット設置された第２の反射面と、
前記基準面、第１の反射面、第２の反射面とで形成される面の両方側にあって、それぞれ前記前面と前記基準面とを渡すように設けられた第３の反射面、第４の反射面と、
前記発光手段から照射され、少なくとも前記第１乃至第４のいずれかの反射面で反射された反射光で照射された被写体を撮像する撮像手段とを有することを特徴とする撮影装置。
【請求項９】
前記各反射面の、前記基準面に対する角度範囲が約±１０°であることを特徴とする請求項８に記載の撮影装置。
【請求項１０】
前記第２の反射面の反射率が、他の反射面と異なることを特徴とする請求項９に記載の撮影装置。
【請求項１１】
前記発光手段の上方に、さらに補助発光手段を設けたことを特徴とする請求項９に記載の撮影装置。
【請求項１２】
前記補助発光手段の発光源に、前記発光源を用いたことを特徴とする請求項８に記載の撮影装置。
【発明の詳細な説明】
【０００１】
【発明が属する技術分野】
この発明は、１灯の照明により撮影する例えば個人証明写真撮影等に好適な撮影装置に関するものである。
【０００２】
【従来の技術】
このような個人証明写真撮影等を行なう撮影装置は、撮影ボックス内で被撮影者の操作によって顔の撮影を行なっている。この撮影では、特に顔の部分が影にならないように、複数灯の照明を撮影ボックス内の被撮影者の背後に置いたり、足下、あるいは上方の天井に設置している（例えば特許文献１）。
【０００３】
【特許文献１】
特開２００１−０８２０６８号公報
【０００４】
【発明が解決しようとする課題】
このように、多数の照明による間接分散配光による撮影では、照明装置が多数あることによって照明バランスが崩れることがある。あるいは被撮影者が荷物を撮影ボックス内の足下に置くことがあると、荷物が照明の遮光になって配光不良が生じることがある。また、照明装置が多数のために、その分コストが嵩む等の問題がある。
【０００５】
この発明は、かかる点に鑑みなされたもので、不自然な影の発生を除去し、高品質で、低コストな撮影を可能とする撮影装置を提供することを目的としている。
【０００６】
【課題を解決するための手段】
前記課題を解決し、かつ目的を達成するために、この発明は、以下のように構成した。
（１）面状の発光手段と、
前記発光手段から出射された照射光を反射する反射手段と、
前記反射手段で反射された反射光により照射された被写体を撮像する撮像手段と、
を有する撮影装置であって、
前記反射手段のうち、中央部からの反射光量は、周辺部の反射光量よりも少ないことを特徴とする撮影装置である。
（２）前記中央部と、前記撮像手段を結ぶ直線上に前記被写体を設置するようにしたことを特徴とする請求項１に記載の撮影装置である。
（３）前記中央部の少なくとも一部は光透過部材であり、
前記撮像手段は、前記被写体に対して、前記反射手段の反対側に設置されており、前記透過部材を介して前記被写体を撮像することを特徴とする請求項２に記載の撮影装置である。
（４）補助照射手段を有することを特徴とする請求項１の撮影装置である。
（５）前記補助照射手段は、
前記被写体の上方に設けられおり、
少なくとも発光光源及び前記発光光源から光を反射する反射手段を有することを特徴とする請求項４に記載の撮影装置である。
（６）前記発光手段は、
前記反射手段の上側に設けられており、
前記周辺部の上側部と下側部との反射光量の差は、前記周辺部と前記中央部との反射光量の差より小さいことを特徴とする請求項１に記載の撮影装置である。（７）前記発光手段は、
前記反射手段の上側に設けられており、
前記周辺部の右側部と左側部との反射光量の差は、前記周辺部と前記中央部との反射光量の差より小さいことを特徴とする請求項１に記載の撮影装置である。（８）撮影の基準面と、
前記基準面の面域外であって、前記基準面に対してオフセット設置され、前記基準面方向に向けた開口部を有する、発光源を内蔵した発光手段と、
前記開口部よりも基準面寄りの位置関係と前記基準面との間に、前記開口部と前記基準面とを渡すように設けられた第１の反射面と、
前記第１の反射面とは前記基準面を介した前記基準面上反対側と、前記基準面に対しオフセット設置された第２の反射面と、
前記基準面、第１の反射面、第２の反射面とで形成される面の両方側にあって、それぞれ前記前面と前記基準面とを渡すように設けられた第３の反射面、第４の反射面と、
前記発光手段から照射され、少なくとも前記第１乃至第４のいずれかの反射面で反射された反射光で照射された被写体を撮像する撮像手段とを有することを特徴とする撮影装置である。
（９）前記各反射面の、前記基準面に対する角度範囲が約±１０°であることを特徴とする請求項８に記載の撮影装置である。
（１０）前記第２の反射面の反射率が、他の反射面と異なることを特徴とする請求項９に記載の撮影装置である。
（１１）前記発光手段の上方に、さらに補助発光手段を設けたことを特徴とする請求項９に記載の撮影装置である。
（１２）前記補助発光手段の発光源に、前記発光源を用いたことを特徴とする請求項８に記載の撮影装置である。
【０００７】
【発明の実施の形態】
以下、この発明の撮影装置の実施の形態を図面に基づいて説明するが、この発明は、この実施の形態に限定されない。また、この発明の実施の形態は、発明の最も好ましい形態を示すものであり、この発明の用語の意義は、これに限定されない。
【０００８】
図１は撮影装置の側面図、図２は撮影装置の平面図、図３は撮影装置の正面図、図４は撮影装置のフロントパネル構造を示す図、図５は操作パネルの平面図である。
【０００９】
この実施の形態の撮影装置１は、撮影ボックス体２内に設けられた撮影室３に被撮影者の被写体４が入り、椅子５に腰掛け、料金を支払い、被撮影者の操作で撮影を行うものである。この撮影装置１には、フロントパネルユニット６、撮像ユニット７及びプリンタユニット８が設けられている。さらに、フロントパネルユニット６の上方には、ストロボユニット９が設けられ、フロントパネルユニット６の下方には、操作ユニット１０が設けられている。
【００１０】
ストロボユニット９には、面状の発光手段２０、光拡散板２１が設けられている。面状の発光手段２０は、ある面積において、ほぼ均一な発光光量を発する、自発光する発光光源２０ａもしくは発光光源２０ａからの反射光を出射する手段である。
【００１１】
面状の発光手段２０には、光拡散板２１で被われた発光光源、面発光光源（例：ＬＥＤアレイ、無機ＥＬ素子、有機ＥＬ素子、ＦＥＤ素子等）が用いられ、ストロボ発光装置を内蔵し、光拡散板２１を装着した開口部を設けたライトボックス２３（内部を反射加工した筐体）の開口部分２３ａで構成される。
【００１２】
フロントパネルユニット６には、発光手段２０から出射された照射光を反射する反射手段３０が備えられている。反射手段３０は、発光手段２０からの直接照射光を全反射もしくは拡散反射させる。この反射手段３０は、鏡、白色板、光を反射するように塗装、研磨等の表面加工された樹脂、金属等の板材で構成されている。この実施の形態の反射手段３０は、図４に示すように、上下、左右に前側を開放するように配置した第１〜第４反射板３１〜３４で構成される。
【００１３】
撮像ユニット７には、反射手段３０で反射された反射光により照射された被写体を撮像する撮像手段４０が備えられている。この撮像手段４０は、照射された被写体の光情報を科学的、物理的、あるいは電気的に記録し、例えばスチルカメラ、ビデオカメラ、銀塩カメラ等が用いられる。この実施の形態では、デジタルスチルカメラを用いている。
【００１４】
この実施の形態では、反射手段３０のうち、中央部３５からの反射光量は、周辺部の第１〜第４反射板３１〜３４の反射光量よりも少ないようになっている。中央部３５は、反射手段３０の少なくとも辺縁部の第１〜第４反射板３１〜３４とは接点を持たない部分であり、反射板全面積の２０％以上８０％以下であり、周辺部の第１〜第４反射板３１〜３４は、反射手段３０の辺縁部の全てを含む部分であり、反射板全面積の２０％以上８０％以下である。
【００１５】
反射手段３０の中央部３５は、反射率を異ならせる凹凸の形状を有する遮光板であり、反射光量は、下記の如く近似することが可能である。第１に撮影装置１の被写体載置箇所に鏡（ハーフミラーでよい）を設置し、撮像手段４０で撮影する、あるいは被写体撮影箇所に他の撮像手段４０を設置し、撮影装置１の発光手段２０による発光と同期して撮影する。第２に撮像装置１により得られた画像には、発光手段２０から照射された反射手段３０が撮影されている。第３に画像の反射手段３０の周辺部と中央部を２０：８０〜８０：２０の任意の面積比に分ける。第４に画像における周辺部と中央部の平均明度（０〜２５５）の差が３０度以上、好ましくは５０度以上、より好ましくは８０度以上である。
【００１６】
このように、反射手段３０のうち、中央部３５からの反射光量は、周辺部の反射光量よりも少ないことから、面状の発光手段２０を用いて、不自然な影の発生を除去し、高品質で、低コストな撮影が可能である。
【００１７】
この実施の形態の反射手段３０は、図４に示すように、撮影の基準面３６（中央部）に対して、前面３７が出っ張っており、前面３７と基準面３６との間を挿間する面（周辺部）を第１〜第４反射板３１〜３４としている。
【００１８】
この反射手段３０の中央部３５と、撮像手段４０を結ぶ直線Ｌ１上に被写体４を設置する。このように、中央部３５と、撮像手段４０を結ぶ直線Ｌ１上に被写体４を設置するようにしたことから、被写体４を略均等に照明して不自然な影の発生を除去することができる。
【００１９】
この中央部３５の少なくとも一部は、光透過部材３８であり、撮像手段４０は、被写体に対して、反射手段３０の反対側に設置されており、光透過部材３８を介して被写体を中央から撮像することができる。
【００２０】
この実施の形態では、補助照射手段５０を有する。この補助照射手段５０は、被写体４の上方に設けられており、少なくとも発光光源５１及び発光光源５１から光を反射する反射手段５２とを有する。この補助照射手段５０の発光光源５１は、発光手段２０の発光光源２０ａを用い、被写体４の上方に設けられおり、不自然な影の発生を除去し、高品質な撮影が可能である。
【００２１】
この実施の形態の発光手段２０は、反射手段３０の上側に設けられており、周辺部の第１〜第４反射板３１〜３４は、上側部と下側部との反射光量の差は、中央部３５と周辺部との反射光量の差より小さくなっている。
【００２２】
上側部は、図４に示すように、中央部３５の端部水平線Ｌ１１よりも反射板端部側に向かって上側の領域であり、下側部は、中央部の端部水平線Ｌ１２よりも反射板端部側に向かって下側の領域である。
【００２３】
また、周辺部の第１〜第４反射板３１〜３４は、右側部と左側部との反射光量の差は、中央部３５と周辺部との反射光量の差より小さくなっている。右側部は、図４に示すように、中央部の端部垂直線Ｌ２１よりも反射板端部側に向かって右側の領域であり、左側部は、中央部の端部垂直線Ｌ２２よりも反射板端部側に向かって左側の領域であり、一部、上側部、下側部との重複領域がある。
【００２４】
また、上側部と下側部の平均反射光量≧右側と左側の平均反射光量が、好ましい範囲内の領域内光量積分値である。また、上側部は、比較的高反射光量で比較的小面積であり、下側部は、比較的低反射光量で比較的大面積である。
【００２５】
また、この実施の形態の撮影装置１は、発光手段２０が図１及び図４に示すように、撮影の基準面３６の面域外であって、基準面３６に対して被写体側に距離Ｄ１オフセット設置され、基準面方向に向けた開口部６０を有する発光光源２０ａを内蔵して備えられている。また、第１反射板３１による第１の反射面Ａは、開口部６０よりも基準面３６寄りの位置関係と基準面３６との間に、開口部６０と基準面３６とを渡すように設けられている。さらに、第２反射板３２による第２の反射面Ｂは、第１の反射面Ａとは基準面３６を介した基準面上反対側と、基準面３６に対し被写体側に距離Ｄ１オフセット設置されている。
【００２６】
第３反射板３３による第３の反射面Ｃと、第４反射板３４による第４の反射面Ｄとは、基準面３６、第１の反射面Ａ、第２の反射面Ｂとで形成される面の両方側にあって、それぞれ前面３７と基準面３６とを渡すように設けられている。
【００２７】
各反射面Ａ〜Ｄの、基準面３６に対する角度範囲が約±１０°であり、それぞれの反射面Ａ〜Ｄ間の角度範囲が約±１０°であることで、被写体４の略均等な照明ができる。
【００２８】
第２の反射面Ｂの反射率が、他の反射面Ａ，Ｃ，Ｄと異なり、低反射率である。第２の反射面Ｂの反射率は、粗面化処理することで低反射率とされている。
【００２９】
また、発光手段２０の上方に、さらに補助発光手段７０を設け、この補助発光手段７０の発光源に、発光光源２０ａを用いている。
【００３０】
この補助発光手段７０の開口２３ｂは、上向きに開口しており、第１〜第４反射板３１〜３４のいずれにも直接光が当たらないようになっており、補助発光手段７０から照射された光は、反射手段５２である第５の反射板で反射され、被写体４に対しては上から照射する形態となっている。
【００３１】
この実施の形態のプリンタユニット８には、上下２段にプリンタ８０，８１が配置され、異なるサイズのシートで撮影画像をプリントできるようになっている。このプリンタユニット８の前側に操作ユニット１０が配置され、図５に示すように、タッチパネル１００に撮影画像１０１を表示し、タッチパネル１００の撮影画像１０１にタッチすることで、画像を選択してプリントすることができる。また、タッチパネル１００には、被写体４の被撮影者への指示などが表示される。
【００３２】
また、この実施の形態では、撮影ボックス体２内に設けられた撮影室３が、図２に示すように、平面視において方形になっているが、図６に示すように円形の形態であってもよい。
【００３３】
図７は撮影装置の概略構成を示すブロック図である。この撮影装置１には、制御部を構成するメイン制御ユニット２００が備えられ、このメイン制御ユニット２００により撮像ユニット７、プリンタユニット８、操作ユニット１０、ビルバリー・コインメックコントローラ２０１、ストロボコントローラ２０２が制御される。ビルバリー・コインメックコントローラ２０１は、ビルバリー・コインメック２０３を駆動し、ストロボコントローラ２０２は、ストロボユニット９を駆動する。ストロボユニット９は、シンクロアダプタ２０４を介して撮像ユニット７と同期して駆動する。
【００３４】
図８は各処理部分での処理の流れを示す図である。
【００３５】
金銭処理は、コイン投入し（ステップｂ１１）、閉じて（ステップｂ１２）、開いて投入可能にし（ステップｂ１３）、コイン投入が行なわれる（ステップｂ１４）。
【００３６】
撮影処理は、撮影可能な待機状態にして（ステップｂ２１）、予備撮影のために撮影感度を６４０×４８０画素でＩＳＯ２００にセットし（ステップｂ２２）、３回撮影し（ステップｂ２３）、この予備撮影の撮影データに基づき、本撮影が行なわれる。この本撮影のために撮影感度を２２００×１８００画素でＩＳＯ１００にセットし（ステップｂ２４）、１回撮影し（ステップｂ２５）、撮影データを記憶する（ステップｂ２６）。
【００３７】
コンピュータ処理は、コンピュータが起動してスタートし（ステップｂ３１）、撮影プリント処理の選択が行なわれ（ステップｂ３２）、予備撮影で行なわれた３回の撮影画像を取り込みチェックし（ステップｂ３３）、各撮影した画像データから１つの照明条件を選択する。この選択した照明条件で本撮影を行ない撮影画像を取り込みチェックし（ステップｂ３４）、プリント出力指示し、さらに複数枚のプリントを行ない（ステップｂ３５）、終了する（ステップｂ３６）。
【００３８】
プリンタ処理は、プリント可能な待機状態にして（ステップｂ４１）、プリント指示に基づきプリントし（ステップｂ４２）、複数プリントして終了する（ステップｂ４３）。
【００３９】
照明処理は、ストロボユニット９のチャージ手段でフルチャージされ（ステップｂ５１）、発光光源をセットし（ステップｂ５２）、それぞれ３０％の照明とし（ステップｂ５３）、予備撮影に同期して照明を行なう。そして、本撮影では、ストロボユニット５０のチャージ手段でフルチャージされ（ステップｂ５４）、それぞれ１００％の照明とし（ステップｂ５５）、本撮影に同期して照明を行なう（ステップｂ５６）。
【００４０】
【発明の効果】
前記したように、請求項１に記載の発明では、反射手段のうち、中央部からの反射光量は、周辺部の反射光量よりも少ないことから、面状の発光手段を用いて、不自然な影の発生を除去し、高品質で、低コストな撮影が可能である。
【００４１】
請求項２に記載の発明では、中央部と、撮像手段を結ぶ直線上に被写体を設置するようにしたことから、被写体を略均等に照明して不自然な影の発生を除去することができる。
【００４２】
請求項３に記載の発明では、撮像手段は、被写体に対して、反射手段の反対側に設置されており、中央部の透過部材を介して被写体を中央から撮像することができる。
【００４３】
請求項４に記載の発明では、補助照射手段を有することから、不自然な影の発生を除去し、高品質な撮影が可能である。
【００４４】
請求項５に記載の発明では、補助照射手段は、被写体の上方に設けられおり、少なくとも発光光源及び発光光源から光を反射する反射手段とを有し、不自然な影の発生を除去し、高品質な撮影が可能である。
【００４５】
請求項６に記載の発明では、発光手段は、反射手段の上側に設けられており、周辺部の上側部と下側部との反射光量の差は周辺部と中央部との反射光量の差より小さいことから、被写体の上側部と下側部とを略均等に照明して不自然な影の発生を除去することができる。
【００４６】
請求項７に記載の発明では、発光手段は、反射手段の上側に設けられており、周辺部の右側部と左側部との反射光量の差は周辺部と中央部との反射光量の差より小さいことから、被写体の右側部と左側部とを略均等に照明して不自然な影の発生を除去することができる。
【００４７】
請求項８に記載の発明では、発光手段から照射され、少なくとも第１乃至第４のいずれかの反射面で反射された反射光で照射された被写体を撮像することで、簡単な構造で不自然な影の発生を除去することができる。
【００４８】
請求項９に記載の発明では、各反射面の基準面に対する角度範囲が約±１０°であることで、被写体を効率的に照明することができる。
【００４９】
請求項１０に記載の発明では、第２の反射面の反射率が、他の反射面と異なることで、簡単な構造で不自然な影の発生を除去することができる。
【００５０】
請求項１１に記載の発明では、発光手段の上方に、さらに補助発光手段を設けたことから、不自然な影の発生を除去し、高品質な撮影が可能である。
【００５１】
請求項１２に記載の発明では、補助発光手段の発光源に、発光源を用いることで、不自然な影の発生を除去し、高品質な撮影が可能である。
【図面の簡単な説明】
【図１】撮影装置の側面図である。
【図２】撮影装置の平面図である。
【図３】撮影装置の正面図である。
【図４】撮影装置のフロントパネル構造を示す図である。
【図５】操作パネルの平面図である。
【図６】撮影装置の他の実施の形態の平面図である。
【図７】撮影装置の概略構成を示すブロック図である。
【図８】各処理部分での処理の流れを示す図である。
【符号の説明】
１  撮影装置
２  撮影ボックス体
３  撮影室
４  被写体
６  フロントパネルユニット
７  撮像ユニット
８  プリンタユニット
９  ストロボユニット
１０  操作ユニット
２０  面状の発光手段
２０ａ  発光光源
２１  光拡散板
３０  反射手段
３５  中央部
３８  光透過部材
４０  撮像手段
５０  補助照射手段
【図１】
2004325797.tif 000003
【図２】
2004325797.tif 000004
【図３】
2004325797.tif 000005
【図４】
2004325797.tif 000006
【図５】
2004325797.tif 000007
【図６】
2004325797.tif 000008
【図７】
2004325797.tif 000009
【図８】
2004325797.tif 000010